(57)【要約】【課題】スキーなどの野外活動の際に、デジタルカメラやビデオカメラ等の小型カメラで撮影するに際して、カメラを所望の箇所に支持固定することができ、構造が小型簡素かつ安価で汎用性に富むカメラ固定具を提供する。【解決手段】固定具本体５の上部に、小型カメラ３のカメラ本体底部１０ａの三脚用雌ネジ部１１に螺合可能な雄ネジ部６が一体的に設けられてなり、固定具本体５は、任意の箇所に自己締結可能な雄ネジの形態とされている。これにより、スキー場等の野外活動現地において、デジタルカメラやビデオカメラ等の小型カメラ３で撮影するに際して、カメラ３を、スキーストック２等を介してあるいは直接、所望の箇所に支持固定することができる。【選択図】図３
2014092765.tif 000002
【特許請求の範囲】
【請求項１】
カメラを任意の箇所に取外し可能に支持固定するためのカメラ固定具であって、
固定具本体の上部に、カメラ本体底部の三脚用雌ネジ部に螺合可能な雄ネジ部が一体的に設けられてなり、
前記固定具本体は、任意の箇所に自己締結可能な雄ネジの形態とされている
ことを特徴とするカメラ固定具。
【請求項２】
前記固定具本体と雄ネジ部は、同軸状に配列された直線棒状の一体物構造とされている
ことを特徴とする請求項１に記載のカメラ固定具。
【請求項３】
前記固定具本体と雄ネジ部との境界部位に、固定具本体の螺合深さ寸法を規定するフランジ部が一体的に設けられている
ことを特徴とする請求項１に記載のカメラ固定具。
【請求項４】
前記フランジ部は、その外周部がモンキーレンチ、スパナ等の回転工具を回転係合可能な構造とされて、工具把持部として機能する
ことを特徴とする請求項３に記載のカメラ固定具。
【請求項５】
前記固定具本体は、スキーストックまたはトレッキングポールの頂部に螺着された既設の締付ネジに対応した形状寸法の木ネジの形態とされている
ことを特徴とする請求項１に記載のカメラ固定具。
【請求項６】
前記雄ネジ部を取外し可能に被覆保護する保護キャップを備える
ことを特徴とする請求項１に記載のカメラ固定具。
【発明の詳細な説明】
【技術分野】
【０００１】
本発明はカメラ固定具に関し、さらに詳細には、例えばスキー、トレッキングあるいは登山などの野外活動の際に、デジタルカメラやビデオカメラ等の小型カメラを固定して撮影する際に適用されるカメラ固定技術に関する。
【背景技術】
【０００２】
近年、デジタルカメラやビデオカメラ等の技術革新による小型化・コンパクト化には著しいものがあり、行楽に出かけるなどの野外活動時に、小型カメラを首に下げたりポケットに入れて気軽に携帯することは、老若男女を問わずきわめて一般的な姿となっている。
【０００３】
ところで、野外活動の際のカメラ撮影時には、セルフタイマーで集合写真を撮ったり、望遠機能を使って風景写真を撮ったりする機会が多く、また夜景撮影の際の手振れ防止の目的からも、カメラの固定を必要とする場合が多く、特にデジタルカメラの高性能化に伴ってその傾向が強くなってきている。
【０００４】
このようなカメラの固定器具として三脚があるが、カメラの三脚は、近年の小型カメラの軽量さや持ち運びのしやすさに比較して、大きく嵩張り重くて、持ち歩きがし難いという不具合があり、特にカメラ撮影を主たる目的とした旅行などの場合を除き、野外活動時に三脚を携行しないのが通常であり、特に、この傾向は、スキー、トレッキングあるいは登山などの比較的重装備で運動系の野外活動時に強かった。
【０００５】
小型カメラがほとんどの一般家庭まで広く普及した現在、上記のような野外活動の現場におけるカメラ撮影の理想条件と現状との隔たりは無視できないほどの重要な課題となってきており、その早期解決が強く要望されていた。
【０００６】
この点に関して、例えば特許文献１に記載されるように、スキーストックのグリップの頂部に、カメラを取り付けるための取付部材が着脱可能に嵌着されたカメラ固定技術が開発され提案されている。
【先行技術文献】
【特許文献】
【０００７】
【特許文献１】特開平８−１３１６０８号公報
【発明の概要】
【発明が解決しようとする課題】
【０００８】
しかしながら、このような取付部材はスキーストック専用のもので、他の用途には全く使えないばかりか、スキーストックの頂部に嵌着する構造では嵩張ってしまい、スキーという激しい運動中にプレーヤの動作の邪魔になったり、衝撃でスキーストックから外れて紛失してしまうという危険もあった。
【０００９】
本発明は、かかる従来の問題点に鑑みてなされたものであって、その目的とするところは、例えばスキー、トレッキングあるいは登山などの野外活動の際に、デジタルカメラやビデオカメラ等の小型カメラで被写体を撮影するに際して、カメラを任意の箇所に支持固定することができ、構造が小型簡素かつ安価で汎用性に富むカメラ固定具を提供することにある。
【課題を解決するための手段】
【００１０】
上記目的を達成するため、本発明のカメラ固定具は、カメラを任意の箇所に取外し可能に支持固定するためのものであって、固定具本体の上部に、カメラ本体底部の三脚用雌ネジ部に螺合可能な雄ネジ部が一体的に設けられてなり、上記固定具本体は、任意の箇所に自己締結可能な雄ネジの形態とされていることを特徴とする。
【００１１】
ここに「自己締結可能な雄ネジ」とは、被締結部材に雌ネジが切られていなくても直接締結が可能な雄ネジを意味し、従来公知の木ネジやタッピングネジを含む意味である（以下、本明細書および特許請求の範囲において同様とする。）。
【００１２】
好適な実施態様として、以下の構成が採用される。
（１）上記固定具本体と雄ネジ部は、同軸状に配列された直線棒状の一体物構造とされている。
【００１３】
（２）上記固定具本体と雄ネジ部との境界部位に、固定具本体の螺合深さ寸法を規定するフランジ部が一体的に設けられている。
【００１４】
（３）上記フランジ部は、その外周部がモンキーレンチ、スパナ等の回転工具を回転係合可能な構造とされて、工具把持部として機能する。
【００１５】
（４）上記固定具本体は、スキーストックまたはトレッキングポールの頂部に螺着された既設の締付ネジに対応した形状寸法の木ネジの形態とされている。
【００１６】
（５）上記雄ネジ部を取外し可能に被覆保護する保護キャップを備える。
【発明の効果】
【００１７】
本発明のカメラ固定具によれば、固定具本体の上部に、カメラ本体底部の三脚用雌ネジ部に螺合可能な雄ネジ部が一体的に設けられてなり、上記固定具本体は、任意の箇所に自己締結可能な雄ネジの形態とされているから、以下に列挙されるような特有の効果が有効に発揮されて、例えばスキー、トレッキングあるいは登山などの野外活動の際に、デジタルカメラやビデオカメラ等の小型カメラで撮影するに際して、カメラを所望の箇所に支持固定することができ、構造が小型簡素かつ安価で汎用性に富むカメラ固定具を提供することができる。
【００１８】
（１）上記固定具本体が、任意の箇所に自己締結可能な雄ネジの形態、具体的には、木ネジあるはタッピングネジと同様な自己締結可能な構造とされていることにより、取付け対象部位に雌ネジがなくても、固定具本体自身で取付け対象部位にねじ立てしながらねじ込むことができるので、雌ネジがある場合はもちろん、下穴さえ開けておけば、モンキ一レンチ、スパナ等の回転工具のみで、カメラ固定具を取付け対象部位に簡単に取付け固定することができる。
【００１９】
したがって、固定具本体を自己締結可能な取付け対象部位であれば、任意の部位に取付けて、デジタルカメラやビデオカメラ等の小型カメラの三脚の代わりに使用することが可能であり、汎用性に富む。
【００２０】
特に、上記固定具本体が、スキーストックまたはトレッキングポールの頂部に螺着された既設の締付ネジ（通常プラスネジ）に対応した形状寸法の木ネジの形態とされていると、上記既設の締付ネジをプラスドライバで取り外すことにより、その既存のネジ孔を利用して直ちにカメラ固定具を取り付けることができ、作業がきわめて簡単かつ円滑に行え、スキープレイヤーや登山家にとって非常に便利な道具となる。
【００２１】
（２）固定具本体の上部に、カメラ本体底部の三脚用雌ネジ部に螺合可能な雄ネジ部が一体的に設けられてなるという小型簡素な構造、好適には、固定具本体と雄ネジ部が同軸状に配列された直線棒状の一体物構造とされていることにより、製作が容易で量産化も可能であるため、製造コストさらには製品コストを安価に抑えることができ、きわめて経済的である。
【００２２】
（３）上記のような小型簡素な構造であることから、持ち運びはもちろんのこと、取付け対象部位に対するカメラ固定具の取付け、取外し、この固定具に対するカメラの取付け、取外しも簡単容易で、取扱いがきめて簡便である。
【図面の簡単な説明】
【００２３】
【図１】本発明の実施形態１であるカメラ固定具を保護キャップを取り外した状態で示す斜視図である。
【図２】同カメラ固定具により、スキーストックをカメラの三脚の代用品として使用する場合の使用状態を示す斜視図である。
【図３】同じく同使用時における、同カメラ固定具によるスキーストックとカメラの接続構造を一部断面で示す正面図である。
【図４】図４（ａ）は同使用時におけるカメラ固定具のスキーストックに対する取付状態を示す平面図であり、図４（ｂ）はカメラの底部の三脚用雌ネジ部を示す底面図である。
【図５】同じく同使用時において、スキーストックを起立状に固定してカメラを支持固定する状態を示す正面図である。
【図６】本発明の実施形態２であるカメラ固定具の他の使用状態を示し、図６（ａ）は、カメラ固定具により、山ロッジやバンガロー等の小屋の手すりを三脚の代用品として使用する場合の使用状態を示す斜視図、図６（ｂ）は同手すりに対するカメラ固定具の取付け固定状態を示す正面断面図である。
【図７】本発明の実施形態３であるカメラ固定具のさらに他の使用状態を示し、図７（ａ）は、カメラ固定具により、発泡スチロール製クーラーボックスを三脚の代用品として使用する場合の使用状態を示す斜視図、図７（ｂ）は同クーラーボックスに対するカメラ固定具の取付け固定状態を示す正面断面図である。
【発明を実施するための形態】
【００２４】
以下、本発明の実施形態を図面に基づいて詳細に説明する。なお、図面全体にわたって同一の符号は同一の構成部材または要素を示している。
【００２５】
実施形態１
本発明に係るカメラ固定具が図１〜図５に示されており、このカメラ固定具１は、具体的には、カメラ３を任意の箇所に取外し可能に支持固定するためのものであって、図示の実施形態においては、スキーストック２の頂部２ａに適用されて、小型カメラ３をスキーストック２により支持固定する場合を示している。
【００２６】
このカメラ固定具１の取付け対象であるスキーストック２は、図５に示すように、アルミニウムやカーボン等からなるストック本体２０と、このストック本体２０の上端部位に嵌合固定されたグリップ２１と、ストック本体２０の先端近傍部位に取付けられたバスケット２２とを主要部として構成され、上記グリップ２１の部位にはストラップ２３が取り付けられている。
【００２７】
このストラップ２３は、上記グリップ２１の頂部つまりスキーストック２の頂部２ａに螺着される締付ネジ（図示省略）によりグリップ２１に締付固定されており、本発明のカメラ固定具１は、後述するように、上記締付ネジの代わりに取付けられる構造とされている。
【００２８】
カメラ固定具１は、図１に示されるように、固定具本体５の上部に、雄ネジ部６が一体的に設けられてなる棒状の一体物であり、上記雄ネジ部６は取外し可能な保護キャップ７により被覆保護されている。
【００２９】
カメラ固定具１の構成材料としては、ステンレス鋼、鉄、真鍮、アルミニウム等の金属の他、プラスチックなどが好適に採用され、具体的には、取付け対象部位の材質等を含めて、その目的・用途に応じて適宜選択使用される。図示の実施形態のカメラ固定具１はアルミニウム製とされている。
【００３０】
固定具本体５は、任意の箇所に自己締結可能な雄ネジの形態とされ、好適には、タッピングネジまたは木ネジの形態とされている。
【００３１】
図示の実施形態においては、カメラ固定具１の取付け対象部位がスキーストック２の頂部２ａであり、上記固定具本体５は、この頂部２ａに螺着された既設の締付ネジ(図示省略)に替えて取付け固定する構造であることから、タッピングネジおよび木ネジのいずれの形態も採用可能であるが、図示のものにおいては木ネジの形態とされている。
【００３２】
具体的には、この固定具本体５は、上記スキーストック２の頂部２ａに螺着された既設の締付ネジ（プラスネジ）に対応した形状寸法の木ネジの形態とされている。
【００３３】
雄ネジ部６は、カメラ本体１０の底部１０ａに設けられた三脚用雌ネジ部１１と協働して、固定具本体５が取付け固定される箇所（図示の実施形態においてはスキーストック２）にカメラ本体１０を支持固定するもので、具体的には、上記三脚用雌ネジ部１１に螺合可能なユニファイ並目ネジの形態とされている。
【００３４】
また、上記固定具本体５と雄ネジ部６との境界部位には、固定具本体５の螺合深さ寸法を規定するフランジ部１２が一体的に設けられている。
【００３５】
このフランジ部１２は、固定具本体５よりも径方向外方へ張り出した円形の鍔の形態とされ、その上下面１２ａ、１２ｂが平坦面とされている。
【００３６】
フランジ部１２の下面１２ｂは、固定具本体５が上記スキーストック２の頂部２ａつまりグリップ２１の頂部に螺着されて取付け固定された状態において、グリップ２１の頂面に当接係止して、固定具本体５の螺合深さ寸法を規定するとともに、その取付固定状態を安定して確保する。
【００３７】
一方、フランジ部１２の上面１２ａは、雄ネジ部６にカメラ本体底部１０ａの三脚用雌ネジ部１１が螺合されて、カメラ１のカメラ本体１０が支持固定される場合の座面として作用する。
【００３８】
また、上記フランジ部１２は、図４（ａ）に示すように、その外周部がモンキーレンチ、スパナ等の回転工具３０を回転係合可能な構造とされて、この部位が工具把持部１２ｃとして機能する。
【００３９】
上記固定具本体５、雄ネジ部６およびフランジ部１２は、同軸状に配列された直線棒状の一体物構造とされており、その単純な構造から、構成材料に応じて、ダイカスト（多量生産品）、切削加工（少量生産品）、射出成形（プラスチック製品）などの各種製造方法が採用可能であり、最適な製造方法を選択採用することにより、製造コストの低減化を図ることが可能である。
【００４０】
上記雄ネジ部６を取外し可能に被覆保護する保護キャップ７は、具体的にはプラスチック製のもので、上記雄ネジ部６に螺合可能な雌ネジ部７ａを有する。この保護キャップ７は、カメラ固定具１に必須の構成部品ではないが、カメラ固定具１の不使用時に雄ネジ部６に螺着することにより、雄ネジ部６の無用な露出による怪我等の未然防止効果を期待できる。
【００４１】
しかして、以上のように構成されたカメラ固定具１は、スキーストック２の頂部２ａに螺着された既設の締付ネジをプラスドライバ等の回転工具により取り外した後（図示省略）、その既存のネジ孔２ｃにカメラ固定具１の固定具本体５を挿入支持した状態で、図４（ａ）に示すように、モンキーレンチ、スパナ等の回転工具３０をフランジ部１２の工具把持部１２ｃに回転係合させて、締付け回転操作する。これにより、自己締結可能な木ネジの形態とされた固定具本体５は、上記ネジ孔２ｃに自ら新たにねじ立てしながらねじ込まれていき、フランジ部１２の下面１２ｂがスキーストック２の頂部２ａつまりグリップ２１の頂部に当接係止したところで、固定具本体５のスキーストック２の頂部２ａに対する螺着による取付け固定が完了する（図３の固定具本体５の状態）。
【００４２】
なお、以上の作業は、スキー場に出発する前の段階はもちろんのこと、実際にスキー場に着いてからの段階でも回転工具３０さえあれば、容易かつ迅速に行うことができる。
【００４３】
続いて、この固定具本体５に小型カメラ３のカメラ本体底部１０ａの三脚用雌ネジ部１１を相対的に回転操作して螺合させることにより、フランジ部１２の上面１２ａにカメラ本体底部１０ａが当接係止したところで、カメラ本体１０のスキーストック２の頂部２ａに対する螺着による支持固定が完了する（図３の雄ネジ部６の状態）。なお、この場合の相対的な回転操作は、小型カメラ３を固定保持した状態で、スキーストック２を回転操作するのが容易かつ確実である。
【００４４】
以上の一連の作業により、小型カメラ３は、図２に示すように、上記スキーストック２の頂部２ａに一体的に支持固定される。
【００４５】
このようにスキーストック２の頂部２ａに小型カメラ３が支持固定された状態で、スキーストック２を野外の任意の箇所、例えば図５に実線で示すように地面あるいは雪面４０に起立状に直接突き立て、あるいはさらにスキーストック２の下部を盛り上げた雪４１で固定することで（図５の二点鎖線参照）、小型カメラ３は、あたかもカメラ三脚による固定状態と同等の安定した固定状態を確保することができる。また、具体的には図示しないが、上記スキーストック２を、例えば家屋のバルコニーの手すり等に括り付けて起立状に固定する方法もある。
【００４６】
この結果、野外活動の際のカメラ撮影時において、カメラ三脚を必要とすることなく、セルフタイマーで集合写真を撮ったり、望遠機能を使って風景写真を撮ったり、あるいは夜景撮影の際の手振れ防止を図ることができる。
【００４７】
以上のように、本実施形態のカメラ固定具１によれば、固定具本体５の上部に、カメラ本体１０底部１０ａの三脚用雌ネジ部１１に螺合可能な雄ネジ部６が一体的に設けられてなり、上記固定具本体５は、任意の箇所に自己締結可能な雄ネジの形態とされているから、スキー場等の野外活動現地において、デジタルカメラやビデオカメラ等の小型カメラ３で撮影するに際して、カメラ３をスキーストック２介して所望の箇所に支持固定することができる。
【００４８】
すなわち、上記固定具本体５が、任意の箇所に自己締結可能な雄ネジの形態、具体的には木ネジと同様な自己締結可能な構造とされていることにより、取付け対象部位に雌ネジがなくても、固定具本体５自身で取付け対象部位にねじ立てしながらねじ込むことができるので、雌ネジがある場合はもちろん、下穴さえ開けておけば、モンキ一レンチ、スパナ等の回転工具３０のみで、カメラ固定具５を取付け対象部位に簡単に取付け固定することができる。
【００４９】
したがって、固定具本体４５を自己締結可能な取付け対象部位であれば、任意の部位に取付けて、デジタルカメラやビデオカメラ等の小型カメラの三脚の代わりに使用することが可能であり、汎用性に富む。
【００５０】
特に、上記固定具本体５が、本実施形態のようにスキーストック２の頂部２ａに螺着された既設の締付ネジ（図示省略）に対応した形状寸法の木ネジの形態とされていると、上記既設の締付ネジをプラスドライバ等の回転工具で取り外すことにより、その既存のネジ孔を利用して直ちにカメラ固定具１を取り付けることができ、作業がきわめて簡単かつ円滑に行え、スキープレイヤーや登山家にとって非常に便利な器具となる。
【００５１】
（２）固定具本体５の上部に、カメラ本体底部１０ａの三脚用雌ネジ部１１に螺合可能な雄ネジ部６が一体的に設けられてなるという小型簡素な構造、好適には、本実施形態のように、固定具本体５と雄ネジ部６が同軸状に配列された直線棒状の一体物構造とされていることにより、製作が容易で量産化も可能であるため、製造コストさらには製品コストを安価に抑えることができ、きわめて経済的である。
【００５２】
（３）上記のような小型簡素な構造であることから、持ち運びはもちろんのこと、取付け対象部位に対するカメラ固定具１の取付け、取外し、この固定具１に対するカメラ３の取付け、取外しも簡単容易で、取扱いがきめて簡便である。
【００５３】
実施形態２
本実施形態は図６に示されており、実施形態１におけるカメラ固定具１の取付け対象部位を変更したものである。
【００５４】
すなわち、実施形態１においては、カメラ固定具１を用いて、小型カメラ３をスキーストック２により支持固定する場合について説明したが、本実施形態においては、図６（ａ）に示すように、山ロッジやバンガロー等の小屋５０におけるバルコニー５１の手すり５１ａに、カメラ固定具１を取付け固定し、このカメラ固定具１の雄ネジ部６に小型カメラ３を支持固定している。
【００５５】
この場合は、実施形態１におけるような既存のネジ孔は存在しないので、手すり５１ａの取付対象部位に、予め下穴をあけてから、カメラ固定具１の固定具本体５を挿入支持した状態で、図４（ａ）に示すように、回転工具３０をフランジ部１２の工具把持部１２ｃに回転係合させるとともに、締付け回転操作することで、カメラ固定具１を手すり５１ａに締付固定する。
【００５６】
続いて、この固定具本体５の雄ネジ６に、小型カメラ３のカメラ本体底部１０ａの三脚用雌ネジ部１１を相対的に回転操作して螺合させるのであるが、この場合の相対的な回転操作は、カメラ固定具１が手すり５１ａに固定されて回転不可能であることから、この固定状態のカメラ固定具１の雄ネジ６に対して小型カメラ３を回転操作することになる。
【００５７】
このような構造では、固定具本体５の雄ネジ６に対する、小型カメラ３の三脚用雌ネジ部１１の必要操作回転数が安定せずに変動する傾向があり、このため、小型カメラ３の支持固定時における撮影方向が所望の方向に向かないことも考えられる。
【００５８】
本実施形態においては、このような事態を考慮して、雄ネジ６とカメラ底部４ａとの間に、弾性ゴム等からなる弾性ワッシャ５２を介装させることで（図６（ｂ）二点鎖線参照）、カメラ本体１０の底部１０ａに傷をつけることなく、小型カメラ３を所望の撮影方向へ向けて支持固定することができるようにしている。
【００５９】
また、本実施形態のようなカメラ固定具１の使用形態においては、カメラ固定具１は、バルコニー５１の手すり５１ａに臨時あるいは一時的に取付け固定されるのではなく、永続的に取り付けられる。
その他の構成および作用は実施形態１と同様である。
【００６０】
実施形態３
本実施形態は図７に示されており、実施形態２と同様に、実施形態１におけるカメラ固定具１の取付け対象部位を変更したものである。
【００６１】
すなわち、本実施形態においては、図７（ａ）に示すように、釣り等の野外活動で使用される発泡スチロール製クーラーボックス６０の開閉蓋６１に、カメラ固定具１を取付け固定し、このカメラ固定具１の雄ネジ部６に小型カメラ３を支持固定している。
【００６２】
この場合も、実施形態２と同様に既存のネジ孔は存在しないが、取付対象部位が発泡スチロールと軟質の材料であることから、予め下穴をあけることなく、カメラ固定具１の固定具本体５を所望の位置に突き立てた状態で、図４（ａ）に示すように、回転工具３０をフランジ部１２の工具把持部１２ｃに回転係合させて、締付け回転操作することで、カメラ固定具１をクーラーボックス６０の開閉蓋６１に容易に締付固定することができる。
【００６３】
このような構造では、実施形態２の場合と同様に、固定具本体５の雄ネジ６に対する、小型カメラ３の三脚用雌ネジ部１１の必要操作回転数が安定せずに変動する傾向があるが、取付対象部位が発泡スチロールと軟質の材料であることから、実施形態２に比較すれば、小型カメラ３の支持固定時における撮影方向の自由度は大きい。
【００６４】
しかも、クーラーボックス６０は手持ち移動可能なものであることから、このクーラーボックス６０を任意の箇所に置くことで、自由な撮影姿勢や撮影方向をとることが可能である。
その他の構成および作用は実施形態１と同様である。
【００６５】
なお、上述した実施形態１〜３はあくまでも本発明の好適な実施態様を示すものであって、本発明はこれに限定されることなく、その範囲内で種々の設計変更が可能である。
【００６６】
例えば、実施形態１においては、カメラ固定具１がスキーストック２の頂部２ａに適用されて、小型カメラ３をスキーストック２により支持固定する場合が示されているが、スキーストック２とほぼ同様の構造を備えるトラッキングポールの頂部にも同様に適用可能である。
【００６７】
また、図示の実施形態のフランジ部１２における工具把持部１２cの具体的形状は、六角ボルト頭のような形状としても良い。
【符号の説明】
【００６８】
１                              カメラ固定具
２                              スキーストック
２ａ                            スキーストックの頂部
３                              小型カメラ
５                              固定具本体
６                              雄ネジ部
７                              保護キャップ
１０                            カメラ本体
１０ａ                          カメラ本体の底部
１１                            三脚用雌ネジ部
１２                            フランジ部
１２ｃ                          工具把持部
３０                            回転工具
５０                            地面あるいは雪面
４１                            雪
５０                            小屋
５１                            バルコニー
５１ａ                          手すり
６０                            クーラーボックス
【図１】
2014092765.tif 000003
【図２】
2014092765.tif 000004
【図３】
2014092765.tif 000005
【図４】
2014092765.tif 000006
【図５】
2014092765.tif 000007
【図６】
2014092765.tif 000008
【図７】
2014092765.tif 000009